(57)【要約】【課題】三次元画像の表示に関する調整を好適に実施することが可能な表示装置を提供する。【解決手段】テレビ装置１００は、三次元画像の表示制御を行う表示制御部１８ａと、ユーザーとの距離を計測する距離計測部１８ｂと、計測された距離に応じて三次元画像の変換制御を行う変換制御部１８ｃと、距離計測部１８ｂにより計測された距離、または三次元画像の変換制御における変換量を補正する補正部１８ｄと、無線信号を受信する信号受信部１７と、を有する。距離計測部１８ｂは、信号受信部１７を用いて三次元画像用眼鏡２００より受信した赤外線信号の信号強度に基づいて、ユーザーとの距離を計測する。変換制御部１８ｃは、この距離に応じて三次元画像の深度を決定する。補正部１８は、距離計測部１８ｂが計測した距離、または変換制御部１８ｃが決定した深度を補正する。【選択図】図１
2014116884.tif 000002
【特許請求の範囲】
【請求項１】
三次元画像の表示制御を行う表示制御部と、
対象物との距離を計測する距離計測部と、
前記距離計測部により計測された距離に応じて前記三次元画像の変換制御を行う変換制御部と、
前記距離計測部により計測された距離、または前記三次元画像の変換制御における変換量を補正する補正部と、を有すること
を特徴とする表示装置。
【請求項２】
前記表示装置は、無線信号を受信する信号受信部を備え、
前記補正部は、前記信号受信部により受信した無線信号を用いて前記補正を行うこと
を特徴とする請求項１に記載の表示装置。
【請求項３】
前記距離計測部は、前記信号受信部により受信した無線信号の信号強度に基づいて前記距離を計測し、
前記補正部は、前記信号受信部により受信した無線信号に含まれる情報、または前記無線信号の受信間隔に基づいて、前記補正を行うこと
を特徴とする請求項２に記載の表示装置。
【請求項４】
前記補正部は、前記信号受信部により受信した無線信号に含まれる情報、または前記無線信号の受信間隔に基づいて、前記無線信号の発信元装置が有する電源部の残存電力を判定し、前記判定の結果に基づいて前記補正を行うこと
を特徴とする請求項２または請求項３に記載の表示装置。
【請求項５】
前記変換制御部は、前記距離計測部により計測された距離に応じて、前記三次元画像の深度を変更する変換制御を行い、
前記補正部は、前記信号受信部により受信した無線信号に含まれる情報、または前記無線信号の受信間隔に基づいて、前記深度を補正すること
を特徴とする請求項２〜請求項４のいずれかに記載の表示装置。
【請求項６】
前記距離計測部は、無線信号の送出部を有する三次元画像用眼鏡またはリモコン装置との距離を、前記信号受信部により受信した無線信号の信号強度に基づいて計測し、
前記補正部は、前記信号受信部により受信した無線信号に含まれる情報、または前記無線信号の受信間隔に基づいて、前記三次元画像用眼鏡または前記リモコン装置との距離を補正すること
を特徴とする請求項２〜請求項４のいずれかに記載の表示装置。
【請求項７】
前記三次元画像を含むコンテンツを取得するコンテンツ取得部を有し、
前記補正部は、前記コンテンツの解析を行い、前記解析の結果に応じて、前記三次元画像の変換制御における変換量を補正すること
を特徴とする請求項１〜請求項６のいずれかに記載の表示装置。
【請求項８】
前記補正部は、前記コンテンツに含まれるジャンル情報、タイトル情報、または前記コンテンツの管理情報の解析を行い、前記解析の結果に応じて、前記三次元画像の深度補正、または前記三次元画像の表示有無の決定を行うこと
を特徴とする請求項７に記載の表示装置。
【請求項９】
前記補正部は、前記三次元画像の表示が開始されてからの経過時間に応じて、前記三次元画像の深度補正、または前記三次元画像の表示有無の決定を行うこと
を特徴とする請求項１〜請求項８のいずれかに記載の表示装置。
【発明の詳細な説明】
【技術分野】
【０００１】
本発明は、表示装置に関するものであり、特に三次元画像の表示が可能な表示装置に関するものである。
【背景技術】
【０００２】
近年、二次元画像に加えて三次元画像を表示可能な表示装置（以下、「三次元表示装置」という）として、例えば三次元テレビが実用化されている。二次元的に表示される画像をユーザーに三次元画像として認識させる方式としては、視差を利用するものが一般的である。視差方式ではユーザーは三次元画像用眼鏡を装着する。
【０００３】
三次元画像表示方式としては、二次元的に左目用画像と右目用画像とを交互に表示し、表示と同期させて三次元画像用眼鏡が有する左右の液晶シャッターを開閉する、いわゆるアクティブシャッター方式と呼ばれるものがある。また、偏光状態の異なる左目用画像と右目用画像とを表示し、左右で透過させる偏光光が異なる偏光フィルタを備えた三次元画像用眼鏡で鑑賞する、いわゆるパッシブ方式と呼ばれるものもある。
【０００４】
このような三次元表示装置では、三次元画像に関する設定、例えば三次元画像の深度調整、立体視のオン／オフ、または疑似三次元表示への切り替え等を、ユーザーが手動で行う必要があった。
【０００５】
上記に関連して、パルス状のレーザー光を用いてユーザーの位置を検出し、この位置に応じて立体画像を変換する技術や、ＥＰＧ（Electric Program Guide）に含まれる情報を用いて立体視のオン／オフを切替える技術が開示・提案されている（例えば特許文献１、特許文献２を参照）。
【先行技術文献】
【特許文献】
【０００６】
【特許文献１】特開２０１２−４７８２９号公報
【特許文献２】特開２０１２−１００１８１号公報
【発明の概要】
【発明が解決しようとする課題】
【０００７】
上述した技術を用いれば、ユーザー操作を必要とすることなく、三次元画像の表示を調整することが可能である。しかしながら、三次元表示装置とユーザーとの距離を正確に計測することは容易ではなく、その精度を高めようとすれば、例えば三次元画像用眼鏡の装置構成が複雑になったり、或いはコストアップに繋がったりするという問題があった。
【０００８】
本発明は、上記の問題を解決するためになされたものであって、その目的は、三次元画像の表示に関する調整を好適に実施することが可能な表示装置を提供することを目的とする。
【課題を解決するための手段】
【０００９】
上記目的を達成するために本発明の表示装置は、三次元画像の表示制御を行う表示制御部と、対象物との距離を計測する距離計測部と、前記距離計測部により計測された距離に応じて前記三次元画像の変換制御を行う変換制御部と、前記距離計測部により計測された距離、または前記三次元画像の変換制御における変換量を補正する補正部と、を有することを特徴とする。
【００１０】
この構成によると、対象物、例えば表示装置を視聴しているユーザーとの距離に応じて、三次元画像の変換制御、例えば三次元画像の深度調整等を行うことができる。また、計測された距離、或いは変換制御における変換量を補正部により補正することにより、三次元画像の視認性、例えば立体感を向上させることができる。
【００１１】
また上記目的を達成するために本発明の表示装置は、無線信号を受信する信号受信部を備え、前記補正部は、前記信号受信部により受信した無線信号を用いて前記補正を行う構成にするとよい。
【００１２】
この構成によると、三次元画像用眼鏡やリモコン装置等の外部装置から受信する無線信号を利用して上述した補正を行うため、簡易な構成により補正を行うことが可能である。
【００１３】
また上記目的を達成するために本発明の表示装置は、前記距離計測部が、前記信号受信部により受信した無線信号の信号強度に基づいて前記距離を計測し、前記補正部は、前記信号受信部により受信した無線信号に含まれる情報、または前記無線信号の受信間隔に基づいて、前記補正を行う構成にするとよい。
【００１４】
この構成によると、外部装置より受信した無線信号に含まれる情報、またはこの無線信号の受信間隔を利用して上述した補正を行うため、補正を行うための専用の部材を設ける必要がない。
【００１５】
また上記目的を達成するために本発明の表示装置は、前記補正部が、前記信号受信部により受信した無線信号に含まれる情報、または前記無線信号の受信間隔に基づいて、前記無線信号の発信元装置が有する電源部の残存電力を判定し、前記判定の結果に基づいて前記補正を行う構成にするとよい。
【００１６】
この構成によると、無線信号を利用して外部装置の電池残量を判定して上述した補正を行うため、電池残量が低下して無線信号の信号強度が低下した場合に、この低下に応じて生じる距離計測の誤差を補正することができる。
【００１７】
また上記目的を達成するために本発明の表示装置は、前記変換制御部が、前記距離計測部により計測された距離に応じて、前記三次元画像の深度を変更する変換制御を行い、前記補正部は、前記信号受信部により受信した無線信号に含まれる情報、または前記無線信号の受信間隔に基づいて、前記深度を補正する構成にするとよい。
【００１８】
この構成によると、無線信号を利用して外部装置の電池残量を判定して上述した補正を行うため、電池残量が低下して無線信号の信号強度が低下した場合に、この低下に応じて距離計測に誤差が生じ、結果として三次元画像の深度が不適切な値となることを補正することができる。
【００１９】
また上記目的を達成するために本発明の表示装置は、前記距離計測部が、無線信号の送出部を有する三次元画像用眼鏡またはリモコン装置との距離を、前記信号受信部により受信した無線信号の信号強度に基づいて計測し、前記補正部は、前記信号受信部により受信した無線信号に含まれる情報、または前記無線信号の受信間隔に基づいて、前記三次元画像用眼鏡または前記リモコン装置との距離を補正する構成にするとよい。
【００２０】
この構成によると、表示装置を視聴するユーザーが使用している三次元画像用眼鏡またはリモコン装置を利用して、ユーザーまでの距離を計測し、この距離に応じて上述した補正を行う。このため、ユーザーが移動したとしても、ユーザーの位置に応じた補正を行うことができる。
【００２１】
また上記目的を達成するために本発明の表示装置は、前記三次元画像を含むコンテンツを取得するコンテンツ取得部を有し、前記補正部は、前記コンテンツの解析を行い、前記解析の結果に応じて、前記三次元画像の変換制御における変換量を補正する構成にするとよい。
【００２２】
この構成によると、放送波や光ディスクから取得されるコンテンツの解析結果に応じて、三次元画像の深度等の補正を行う。このため、コンテンツの内容に適した三次元表示を行うことができる。
【００２３】
また上記目的を達成するために本発明の表示装置は、前記補正部が、前記コンテンツに含まれるジャンル情報、タイトル情報、または前記コンテンツの管理情報の解析を行い、前記解析の結果に応じて、前記三次元画像の深度補正、または前記三次元画像の表示有無の決定を行う構成にするとよい。
【００２４】
この構成によると、例えば臨場感が重要と推定されるスポーツ等のジャンルでは深度を増加させ、臨場感が重要ではないと推定されるニュース等のジャンルでは深度を低減させる等、ジャンルに適した三次元表示を行うことができる。
【００２５】
また上記目的を達成するために本発明の表示装置は、前記補正部が、前記三次元画像の表示が開始されてからの経過時間に応じて、前記三次元画像の深度補正、または前記三次元画像の表示有無の決定を行う構成にするとよい。
【００２６】
この構成によると、例えばユーザーが長時間、三次元画像を視聴している場合に、時間経過に応じて自動で深度を低減させる。これにより、三次元画像を視聴することによるユーザーの眼の疲れを低減することができる。
【発明の効果】
【００２７】
本発明によると、ユーザーと表示装置との距離、またはコンテンツの内容に応じて、三次元画像の変換制御における変換量、例えば深度を調整する。また、距離計測に誤差が生じる場合に、外部装置から受信する無線信号を用いて補正を行う。これにより、三次元画像の表示に関する調整を好適に実施することができる。
【図面の簡単な説明】
【００２８】
【図１】本発明に係る表示装置の概略構成を示すブロック図である。
【図２】本発明に係る三次元画像用眼鏡の外観を示す斜視図である。
【図３】本発明係る三次元画像用眼鏡の概略構成を示すブロック図である。
【図４】本発明に係るメニュー画面の一例を示す画面図である。
【図５】複数の深度調整パターンを示すグラフ図である。
【図６】第１の実施形態に係る深度調整処理を示すフロー図である。
【図７】第１の実施形態に係る深度調整処理を示すフロー図である。
【図８】第１の実施形態に係る深度調整処理を示すフロー図である。
【図９Ａ】第１の実施形態に係る赤外線信号の強度と送出タイミングを示す模式図である。
【図９Ｂ】第１の実施形態に係る赤外線信号の強度と送出タイミングを示す模式図である。
【図１０Ａ】第１の実施形態に係る赤外線信号の強度と送出タイミングを示す模式図である。
【図１０Ｂ】第１の実施形態に係る赤外線信号の強度と送出タイミングを示す模式図である。
【図１１】第２の実施形態に係る赤外線信号の強度と送出タイミングを示す模式図である。
【発明を実施するための形態】
【００２９】
＜実施の形態１＞
以下に本発明の第１の実施形態を、図面を参照しながら説明する。なお、ここで示す実施形態は一例であり、本発明はここに示す実施形態に限定されるものではない。
【００３０】
＜１−１．装置構成について＞
ここで、本発明の第１の実施形態に係るテレビ装置１００（＝表示装置の一例）の概略構成を図１に示す。なお、本実施形態では、三次元画像表示方式としてアクティブシャッター方式を例として説明する。
【００３１】
図１に示すテレビ装置１００は、チューナ１と、ＰＳＫ（Phase Shift Keying）復調部２と、チューナ３と、ＯＦＤＭ（Orthogonal Frequency Division Multiplexing）復調部４と、第１外部入力部５と、第２外部入力部６と、赤外線受信部７と、赤外線送信部８と、ＡＶセレクタ９と、信号処理部１０と、音声出力部１１と、スピーカ１２と、ＯＳＤ（On Screen Display）部１３と、２Ｄ／３Ｄセレクタ１４と、２Ｄ／３Ｄ変換部１５と、画像出力部１６と、表示部１７と、制御部１８と、を備えている。なお、チューナ１にはアンテナ３０が接続され、チューナ３にはアンテナ４０が接続される。
【００３２】
アンテナ３０としては、通常、パラボラアンテナが用いられる。チューナ１は、ＢＳ／ＣＳ衛星デジタル放送受信用であり、制御部１８の制御によって選局を行い、選局された衛星デジタル放送信号を出力する。ＰＳＫ復調部２は、選局された衛星デジタル放送信号をデジタルの画像信号と音声信号とに復調する。
【００３３】
アンテナ４０としては、地上波受信用の、例えば八木アンテナが用いられる。チューナ３は、地上デジタル放送受信用であり、制御部１８の制御によって選局を行い、選局された地上デジタル放送信号を出力する。ＯＦＤＭ復調部４は、選局された地上デジタル放送信号をデジタルの画像信号と音声信号とに復調する。
【００３４】
第１外部入力部５及び第２外部入力部６は、接続された外部画像音声機器から入力される画像音声信号をＡＶセレクタ９へ出力する。
【００３５】
赤外線受信部７は、後述する三次元画像用眼鏡２００から赤外線信号（＝無線信号の一例）を受信し、受信した赤外線信号をコード信号に変換して制御部１８に出力する。
【００３６】
赤外線送信部８は、後述する三次元画像用眼鏡２００に対して赤外線信号を出力する。赤外線送信部８より出力される赤外線信号には、三次元画像の表示に用いられる左目用画像及び右目用画像の表示と、三次元画像用眼鏡２００のシャッター動作と、を同期させるための同期信号が含まれている。
【００３７】
ＡＶセレクタ９は、ＰＳＫ復調部２の出力、ＯＦＤＭ復調部４の出力、第１外部入力部５の出力、並びに第２外部入力部６の出力から選択して信号処理部１０に出力する。信号処理部１０は、ＡＶセレクタ９から入力される画像音声信号に所定の処理を行い、処理後のデジタル音声信号を音声出力部１１に出力し、処理後のデジタル画像信号をＯＳＤ部１３に出力する。
【００３８】
音声出力部１１は、入力されたデジタル音声信号をスピーカ１２に適したアナログ音声信号に変換する。スピーカ１２は、アナログ音声信号に基づき音声を発生する。
【００３９】
ＯＳＤ部１３は、信号処理部１０から入力されたデジタル画像信号にＯＳＤ信号を重畳させて重畳後の画像信号を２Ｄ／３Ｄセレクタ１４に出力する。なお、ＯＳＤ部１３は重畳をせずにＯＳＤ信号のみを２Ｄ／３Ｄセレクタ１４に出力することも可能である。
【００４０】
図４は、ＯＳＤ部１３が生成するメニュー画面の一例である。メニュー画面では、入力ソース切替え機能の選択項目（ＢＳデジタル放送、ＣＳデジタル放送、外部入力１、外部入力２）と、２Ｄ／３Ｄ切替え機能の選択項目（二次元画像、三次元画像）が表示される。２Ｄ／３Ｄ切替え機能の選択項目が選択された場合は、制御部１８は選択された項目に応じて２Ｄ／３Ｄセレクタ１４を切替える。
【００４１】
２Ｄ／３Ｄセレクタ１４は、ＯＳＤ部１３から入力された画像信号を２Ｄ／３Ｄ変換部１５に出力するか否かを切替える。２Ｄ／３Ｄ変換部１５は、入力された二次元画像の画像信号を三次元画像の画像信号に変換する。従って、２Ｄ／３Ｄ変換部１５からは左目用画像及び右目用画像が交互に画像出力部１６に出力される。これにより、二次元画像による疑似三次元表示が可能となる。
【００４２】
画像出力部１６は、２Ｄ／３Ｄセレクタ１４または２Ｄ／３Ｄ変換部１５から入力された画像信号を表示部１７の入力信号形式に変換して出力する。表示部１７は、例えば液晶ディスプレイであり、画像出力部１６から入力された画像信号に基づき画像を表示する。
【００４３】
制御部１８は、不図示のＣＰＵ、ＲＯＭ、ＲＡＭ等を有し、テレビ装置１００全体を制御する。また制御部１８は、制御部１８が備える演算処理装置上で所定のプログラムを実行することにより実現される機能部として、表示制御部１８ａ、距離計測部１８ｂ、変換制御部１８ｃ、及び補正部１８ｄを有する。
【００４４】
表示制御部１８ａは、ＯＳＤ部１３、２Ｄ／３Ｄセレクタ１４、及び２Ｄ／３Ｄ変換部１５を制御することにより、上述した２Ｄ／３Ｄ切替えや、疑似三次元表示の実行等を行う。距離計測部１８ｂは、赤外線受信部７により得られる赤外線信号の信号強度に基づき、三次元画像用眼鏡２００までの距離の計測を行う。変換制御部１８ｃは、三次元画像の深度調整を行う。補正部１８ｄは距離計測部１８ｂにより計測された距離、または変換制御部１８ｃが決定した深度の補正を行う。なお、各処理の詳細については後述する。
【００４５】
次に、本発明の一実施形態に係る三次元画像用眼鏡２００の外観図を図２に示す。また、三次元画像用眼鏡２００の内部構成を図３に示す。
【００４６】
三次元画像用眼鏡２００は、制御部２１と、操作部２２と、赤外線送信部２３と、赤外線受信部２４と、同期部２５と、液晶シャッター２６と、電池残量検出部２７と、を備えている。このうち、操作部２２と、赤外線送信部２３と、赤外線受信部２４と、は三次元画像用眼鏡２００のフレーム表面に設けられている。
【００４７】
図２に示すように、操作部２２は、フレームの左側面部に押圧可能に設けられている。制御部２１は、操作部２２から押圧されたキーに応じた操作検出信号を受信し、受信した操作検出信号に応じたコード信号を赤外線送信部２３により送信する。赤外線送信部２３は、コード信号を赤外線信号に変換してテレビ装置１００の赤外線受信部７へ送信する。
【００４８】
このように、三次元画像用眼鏡２００を装着したユーザーは、操作部２２に含まれるキーを操作することにより、チャンネルアップダウン、音量アップダウンといったテレビ装置１００の基本的な操作を行うことができる。
【００４９】
同期部２５は、液晶シャッター２６に含まれる右目用シャッターと左目用シャッターの同期をはかる。液晶シャッター２６は、図２に示すように、フレームの前方左右に取り付けられている。
【００５０】
制御部２１は、上述した赤外線送信部８から送信される赤外線信号を赤外線受信部２４を介して受信し、受信した赤外線信号に含まれる同期信号に応じて、左右の液晶シャッター２６を開閉制御する。これにより、三次元画像用眼鏡２００を装着したユーザーは、テレビ装置１００の表示部１７に交互に表示される左目用画像と右目用画像とをそれぞれ左目及び右目で交互に見ることとなり、視差により三次元画像感覚を得ることができる。
【００５１】
電池残量検出部２７は、不図示の蓄電池またはリチウム電池等（＝電源部の一例）の電圧を測り、これらの電池に残存する電力を判定する。なお、これらの電池に蓄えられた電力は、赤外線送信部２３の発光や、液晶シャッター２６の開閉動作等に用いられる。
【００５２】
＜１−２．深度調整処理について＞
次に、テレビ装置１００及び三次元画像用眼鏡２００により実施される深度調整処理について説明する。本実施形態のテレビ装置１００は、三次元画像用眼鏡２００との距離に応じて、三次元画像の表示を調整することを特徴とする。
【００５３】
より具体的には、制御部１８は、赤外線信号の送受信機能を利用して相互の距離を判定し、立体視の視差を調整する。例えば、テレビ装置１００が近くても遠くても、同じ視差になるよう、三次元画像の深度を調整する。
【００５４】
例えば、図５に示すように、テレビ装置１００から三次元画像用眼鏡２００への距離が大きくなるにつれ、深度を深くするように調整する。距離と深度との関係は、図５に示す直線（ａ）、直線（ｂ）、曲線（ｃ）のように、複数のパターンを用いることが可能ある。表示制御部１８ａは、ユーザー設定や、表示するコンテンツの種別等に応じて、上記のいずれのパターンを用いるかを適宜変更する。
【００５５】
赤外線信号による距離判定は、受光した赤外線信号の信号強度に基づいて行う。これには、以下のパターンが考えられる。
（１）三次元画像用眼鏡２００が発光し、テレビ装置１００が受光して計測する。
（２）三次元画像用眼鏡２００が発光し、反射光を三次元画像用眼鏡２００が受光して計測し、計測値をテレビ装置１００へ送信する。
（３）テレビ装置１００が発光し、三次元画像用眼鏡２００が受光して計測し、計測値をテレビ装置１００へ送信する。
【００５６】
上記（１）の構成を採用した場合の深度調整処理の処理フローを示したのが図６である。また、（２）の構成を採用した場合が図７、（３）の構成を採用した場合が図８である。
【００５７】
まず、（１）の構成について説明する。図６に示す処理フローは、テレビ装置１００が三次元画像の表示処理を実施している状態において、所定時間毎に定期的に実施される。まず三次元画像用眼鏡２００の制御部２１はステップＳ１１０において、距離計測用の赤外線信号を送出するよう、赤外線送信部２３を制御する。
【００５８】
次に、テレビ装置１００の距離計測部１８ｂはステップＳ１２０において、上記で送出された赤外線信号を、赤外線受信部７により待ち受ける。次に距離計測部１８ｂはステップＳ１３０において、赤外線受信部７による受信が成功したか否かを判定する。受信に成功しなかった場合、再びステップＳ１３０へ移行し、継続して監視を行う。受信に成功した場合、距離計測部１８ｂはステップＳ１４０において、受信した赤外線信号の信号強度に基づいて、三次元画像用眼鏡２００までの距離を算出する。
【００５９】
次に変換制御部１８ｃはステップＳ１５０において、上記で算出された距離に応じて、三次元画像の深度調整を行う。なおこの調整には、図５に示すような関係式を用いて行う。深度調整が完了すると本処理を終了する。本処理の終了後、所定時間（例えば１０ｍｍ秒）が経過すると、再び本処理を実施する。
【００６０】
次に、（２）の構成の図７について説明する。図７に示す処理フローは、図６と同様、テレビ装置１００が三次元画像の表示処理を実施している状態において、所定時間毎に定期的に実施される。まず三次元画像用眼鏡２００の制御部２１はステップＳ２１０において、距離計測用の赤外線信号を送出するよう、赤外線送信部２３を制御する。
【００６１】
次に制御部２１はステップＳ２２０において、上記で送出された赤外線信号がテレビ装置１００により反射された反射光を、赤外線受信部２４により待ち受ける。次に制御部２１はステップＳ２３０において、赤外線受信部２４による受信が成功したか否かを判定する。受信に成功していない場合、再びステップＳ２３０へ移行し、継続して監視を行う。受信に成功した場合、制御部２１はステップＳ２４０において、受信した赤外線信号の信号強度に基づいて、テレビ装置１００までの距離を算出する。
【００６２】
次に制御部２１はステップＳ２５０において、上記で算出された値を示す赤外線信号を、赤外線送信部２３によりテレビ装置１００へ送信する。これを赤外線受信部７により受けた変換制御部１８ｃはステップＳ２６０において、受信した赤外線信号が示す距離に応じて、三次元画像の深度調整を行う。
【００６３】
次に、（３）の構成の図８について説明する。図８に示す処理フローは、図６、７と同様、テレビ装置１００が三次元画像の表示処理を実施している状態において、所定時間毎に定期的に実施される。なお、図７と同一の処理については、同じステップ番号を付与することにより説明を省略するものとする。
【００６４】
まず距離計測部１８ｂはステップＳ２１１において、テレビ装置１００から距離計測用の赤外線信号を送出するよう、赤外線送信部８を制御する。次に三次元画像用眼鏡２００の制御部２１はステップＳ２２１において、上記で送出された赤外線信号を、赤外線受信部２４により待ち受ける。
【００６５】
次に制御部２１はステップＳ２３０において、赤外線受信部２４による受信が成功したか否かを判定する。受信に成功していない場合、再びステップＳ２３０へ移行し、継続して監視を行う。受信に成功した場合、図７と同様、ステップＳ２４０〜ステップＳ２６０を実施する。
【００６６】
＜１−３．補正処理について＞
以上に説明した深度調整処理のうち、（１）、（２）の構成では、三次元画像用眼鏡２００が有する赤外線送信部２３が発光する。三次元画像用眼鏡２００は、その電池が消耗し、電池電圧が徐々に低下するのに伴い、赤外線送信部２３が送出する赤外線信号の信号強度も低下する。このため、電池の消耗により信号強度が低下した場合に、距離が離れていることにより信号強度が低下していると、誤認識する可能性があった。
【００６７】
上記の問題を解決するため、（２）の構成では、赤外線信号の送出時（図７のステップＳ２４０）に、電池残量検出部２７が電池電圧を測定することにより、電池残量を測定する構成とする。そして電池残量が低下した場合に、電池残量に応じて、測定された信号強度（または信号強度に基づいて算出される距離）の値を補正する。
【００６８】
そして補正後の値を、ステップＳ２５０においてテレビ装置１００へ送信する。なお、（３）の構成では、テレビ装置１００は電池ではなく商用電源より電力供給を受けているため出力が安定しており、上記の問題は発生しない。
【００６９】
また上記の問題を解決するため、（１）の構成では、電池残量検出部２７により電池残量の低下が検出された場合に、テレビ装置１００へ所定の通知を行う構成とする。より具体的には、図９Ａに示すように、距離計測用の赤外線信号（図中のα１）に加え、電池残量を示すリモコンコード（図中のβ１）を送出するよう、制御部２１が赤外線送信部２３を制御する。
【００７０】
電池残量が低下し、図９Ｂに示すように赤外線信号の信号強度が低下すると（図中のα２）、制御部２１は送信するリモコンコードの内容を変更するよう、赤外線送信部２３を制御する（図中のβ２）。これにより、電池残量の低下の度合いを、テレビ装置１００に対して通知する。
【００７１】
上記のリモコンコードを赤外線受信部７により受信した補正部１８ｄは、リモコンコードの解析を行い、解析の結果得られた低下度合いに応じて、距離計測部１８ｂが計測した距離を増減させる。これにより、三次元画像用眼鏡２００までの距離の補正を行う。なお、電池残量の低下度合いと距離補正量との関係は、予めテレビ装置１００の設計段階等において試験により調査され、不図示の記録部等に記録されているものとする。
【００７２】
或いは、補正部１８ｄは、低下度合いに応じて距離の補正を行うのではなく、距離に基づいて変換制御部１８ｃが決定する三次元画像の深度（図５の縦軸の値）を、通知された低下度合いに応じて補正する形態でもよい。
【００７３】
また、上記の変形例として、三次元画像用眼鏡２００が、電池残量を示すリモコンコードを送出するのではなく、電池残量に応じて、距離計測用の赤外線信号の出力間隔を変更する形態でもよい。図１０Ａ及び図１０Ｂは、上記の形態における赤外線信号を示した模式図である。この形態では、制御部２１は、距離計測用の赤外線信号を複数回送信するよう、赤外線送信部２３を制御する。
【００７４】
図１０Ａは、電池残量が十分にある状態を示しており、この状態では二つの赤外線信号（図中のα３とα４）の送信間隔はｔ１となっている。一方図１０Ｂは、電池残量が低下し、信号強度が低下した状態を示している。この状態では二つの赤外線信号（図中のα５とα６）の送信間隔がｔ２となり、ｔ１よりも長くなっている。
【００７５】
上記のように、制御部２１は、電池残量が減るのに応じて、距離計測用の赤外線信号の送信間隔を大きくするよう、赤外線送信部２３を制御する。これにより、電池残量の低下の度合いを、テレビ装置１００に対して通知する。
【００７６】
上記のリモコンコードを赤外線受信部７により受信した補正部１８ｄは、受信した複数の赤外線信号の受信間隔を監視し、この監視結果に応じて、電池残量の低下の度合いを判定する。そして判定結果に応じて、距離計測部１８ｂが計測した距離を増減させる補正を行う。或いは、三次元画像の深度を増減させる補正を行う。
【００７７】
以上に説明した第１の実施形態では、テレビ装置１００が、三次元画像の表示制御を行う表示制御部１８ａと、ユーザーとの距離を計測する距離計測部１８ｂと、計測された距離に応じて三次元画像の変換制御を行う変換制御部１８ｃと、距離計測部１８ｂにより計測された距離、または三次元画像の変換制御における変換量を補正する補正部１８ｄと、無線信号を受信する信号受信部１７と、を有する。距離計測部１８ｂは、信号受信部１７を用いて三次元画像用眼鏡２００より受信した赤外線信号の信号強度に基づいて、ユーザーとの距離を計測する。変換制御部１８ｃは、この距離に応じて三次元画像の深度を決定する。補正部１８は、距離計測部１８ｂが計測した距離、または変換制御部１８ｃが決定した深度を補正する。これにより、ユーザーとの距離に応じた適切な三次元画像の表示を行うことができるため、三次元画像の視認性、例えば立体感を向上させることができる。
【００７８】
また第１の実施形態では、補正部１８ｄは、信号受信部１７により受信した赤外線信号に含まれる情報、または赤外線信号の受信間隔に基づいて、三次元画像用眼鏡２００の残存電力を判定し、判定した残存電力に応じて距離、または深度の補正を行う。これにより、残存電力の低下に起因する距離測定の誤差、及びこの誤差に起因する深度の誤差を補正できる。このため、距離判定用の赤外線信号の信号強度が電池減少により低下したとしても、この影響を受けることなく、正確な距離を判定して三次元画像の表示を行うことが可能である。
【００７９】
＜実施の形態２＞
以下に本発明の第２の実施形態を、図面を参照しながら説明する。
【００８０】
＜２−１．装置構成について＞
本実施形態のテレビ装置１００は、三次元眼鏡２００を必要とせず、ユーザーが裸眼にて三次元画像を認識することができる表示機能を有する。例えば、多重構造の液晶素子を有し、液晶素子に設けられたバリア開口部に対する視線角度が両眼で異なることを利用した視差バリア方式を用いて、三次元画像を表示する。従って、三次元眼鏡２００と通信を行う必要がなく、実施の形態１の赤外線送信部８も不要である。
【００８１】
＜２−２．深度調整処理について＞
本実施形態の距離計測部１８ｂは、ユーザーとの距離を、テレビ装置１００に付属する不図示のリモコン装置により検出する。より具体的には、リモコン装置が出力する赤外線信号を赤外線受信部７で受信し、この信号強度を測定する。そして信号強度に基づいてリモコン装置との距離を算出し、距離に応じて三次元画像の深度調整を行う。
【００８２】
本実施形態のリモコン装置は、距離計測用の赤外線信号を送信するための専用キーを有する。ユーザーは、三次元画像の表示調整を行いたい場合に、この専用キーを押下する。専用キーが押下されたことにより出力された距離計測用の赤外線信号は、テレビ装置１００の赤外線受信部７により受信される。
【００８３】
この結果、信号強度に応じた距離の算出、及びこの距離に応じた深度調整処理が、距離計測部１８ｂ及び変換制御部１８ｃにより実施される。なお、深度調整処理の詳細については、実施の形態１と同様であるため、ここでは説明を省略する。
【００８４】
＜２−３．補正処理について＞
実施の形態１の三次元眼鏡２００と同様、リモコン装置も電池で動作するため、電池残量が減るにつれて赤外線信号の信号強度が低下する。従って、電池残量に応じた補正を行う必要がある。
【００８５】
本実施形態では、実施の形態１と同様、所定のリモコンコードまたは複数の赤外線信号の送信間隔を用いて、補正を行う。より具体的には、上記の専用キーがユーザーにより押され、距離計測用の赤外線信号がリモコン装置より送出された後に、リモコン装置の制御部が電池残量を測定し、この測定結果に応じたリモコンコード（図９のβ１、β２に相当）をテレビ装置１００へ送出する。これを赤外線受信部７により受けた補正部１８ｄは、このリモコンコードの内容に応じて距離または深度の補正を行う。
【００８６】
なお、上記の変形例としては、専用キーを用いず、通常のリモコン操作が実施された後に、距離計測用の赤外線信号を自動送信する形態でもよい。図１１は、この一例を示した模式図である。図１１では、通常のリモコンコード（図中のβ１０）の送出が完了した後（図中の破線Ｔ）、距離計測用の複数の赤外線信号（図中のα１０）を、追加で自動送出している。これを赤外線受信部７により受けた補正部１８ｄは、実施の形態１と同様、この複数の赤外線の受信間隔に応じて、距離または深度の補正を行う。これにより、特別なユーザー操作を必要とすることなく、距離判定及び補正を行うことが可能である。
【００８７】
以上に説明した第２の実施形態では、距離計測部１８ｂが、赤外線信号の送出部を有するリモコン装置との距離を、信号受信部１７により受信した赤外線信号の信号強度に基づいて計測し、補正部１８ｄは、リモコン装置より受信した赤外線信号に含まれる情報、または赤外線信号の受信間隔に基づいて、リモコン装置との距離を補正する。これにより、表示装置を視聴するユーザーが使用しているリモコン装置を利用して、ユーザーまでの距離を計測し、この距離に応じて深度の決定及び深度の補正を行うことができる。このため、例えばユーザーが移動したとしても、ユーザーがリモコン装置を操作するたびにユーザーまでの距離を再計算し、適切な三次元表示を行うことができる。また、リモコン装置の電池減少による信号強度の低下が発生したとしても、距離判定または深度調整の誤差を補正することができる。
【００８８】
＜実施の形態３＞
以下に本発明の第３の実施形態を、図面を参照しながら説明する。
【００８９】
＜３−１．装置構成について＞
実施の形態１と同様であるため、説明を省略する。
【００９０】
＜３−２．深度調整処理について＞
【００９１】
本実施形態の表示制御部１８ａは、信号処理部１０（＝コンテンツ取得部の一例）より得られるＥＰＧ等の情報に基づいて、三次元画像の深度調整、及び２Ｄ／３Ｄ切替えを行うことを特徴とする。より具体的には、表示制御部１８ａは、ＥＰＧより得られる番組名や番組のジャンルに基づいて、２Ｄ／３Ｄ切替えを行う。
【００９２】
三次元番組（＝コンテンツの一例）には、三次元判定信号がある番組と、無い番組が存在する。三次元判定信号がある場合、表示制御部１８ａこれを用いて、三次元番組であることを判定する。一方、三次元判定信号が無い場合、表示制御部１８ａは番組名に所定の文字列（たとえば「３Ｄ」という文字列）が含まれているか否かに基づいて、三次元番組であるか否かを判定する。
【００９３】
三次元番組であると判定された場合、表示制御部１８ａは、三次元画像を画像出力部１６へ出力するよう、２Ｄ／３Ｄセレクタ１４を制御する。これにより、図４に示す設定画面を用いたユーザー操作を必要とすることなく、２Ｄ／３Ｄ切替えを行うことが可能である。
【００９４】
また、本実施形態の表示制御部１８ａは、ＥＰＧより得られる各種情報、例えば番組名や番組のジャンルに基づいて、２Ｄ／３Ｄ切替えを行う。例えば、番組が特定のジャンル（映画やスポーツ等）である場合に、三次元判定信号が無いとしても、２Ｄ／３Ｄセレクタ１４の切替え制御を行い、２Ｄ／３Ｄ変換部１５により疑似三次元画像を生成して出力する。
【００９５】
また、本実施形態の補正部１８ｄは、ＥＰＧより得られる各種情報に基づいて、三次元画像の深度を補正する。例えば、番組が特定のジャンルである場合に、その他のジャンルよりも深度を大きくするよう、補正を行う。
【００９６】
なお、ジャンルが階層的に設定されている場合、この階層的なジャンルに基づいて、深度を補正する形態でもよい。具体的には、映画というジャンルの中に、さらに細かいジャンル（アクション、ＳＦ、ドキュメンタリーなど）が設定されている場合に、これらの詳細なジャンルに基づいて、深度を補正する。
【００９７】
また、補正部１８ｄは、番組のジャンルに加えて、ユーザーが当該番組を視聴している時間に応じて、深度を補正する形態でもよい。例えば、視聴時間が所定時間を超えた段階で、視聴時間の長さに応じて深度を低減させるよう、深度補正を行う。これにより、ユーザーの眼に対する負担を低減させ、立体感よりも快適性を優先させた三次元表示を行うことができる。
【００９８】
以上に説明した第３の実施形態では、三次元画像を含むコンテンツを取得するチューナ、復調部、及び外部入力部と、コンテンツに含まれるジャンル情報、タイトル情報、または管理情報の解析を行う補正部１８ｄと、を有し、補正部１８ｄは、この解析の結果に応じて、三次元画像の深度を補正する。このため、放送波や光ディスク等から取得されるコンテンツの内容に応じて、三次元画像の深度の補正を行うことができる。また、コンテンツの内容に適した三次元表示を行うことができる。例えば臨場感が重要と推定されるスポーツ等のジャンルでは深度を増加させ、臨場感が重要ではないと推定されるニュース等のジャンルでは深度を低減させる。これにより、ジャンルに適した三次元表示を行うことができる。
【００９９】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【０１００】
従って本発明は、以下の形態にも適用可能である。
【０１０１】
（Ａ）上記実施形態では、三次元画像表示方式としてアクティブシャッター方式を例示しているが、これ以外の方式を用いるテレビ装置１００に対して、本発明を適用する形態でもよい。例えば、パッシブ方式のテレビ装置１００に適用する形態でもよい。
【０１０２】
（Ｂ）上記実施形態では、距離の計測に赤外線信号を用いているが、これ以外の方法により距離を計測する形態でもよい。例えば、レーザー光を使用したり、画像認識を使用したりする形態でもよい。画像認識を使用する場合、不図示のカメラにより三次元画像用眼鏡２００を撮像し、撮像画像中の三次元画像用眼鏡２００のサイズを解析することにより、距離を判定する。また、三次元画像用眼鏡２００を用いないモデルである場合、不図示のカメラによりユーザーを撮像し、撮像画像中のユーザーの大きさを解析することにより、距離を判定する。
【０１０３】
（Ｃ）上記実施形態では、三次元眼鏡２００及びリモコン装置の電池の残量を判定する方法として電圧を測る方法を例示しているが、これ以外の方法で電池の残量を判定する形態でもよい。例えば、電池交換が検知されてからの経過時間や、赤外線信号が送出された回数等により判定する形態でもよい。
【符号の説明】
【０１０４】
１００    テレビ装置（表示装置）
２００    三次元画像用眼鏡
１    チューナ
２    ＰＳＫ復調部
３    チューナ
４    ＯＦＤＭ復調部
５    第１外部入力部
６    第２外部入力部
７    赤外線受信部
８    赤外線送信部
９    ＡＶセレクタ
１０    信号処理部
１１    音声出力部
１２    スピーカ
１３    ＯＳＤ部
１４    ２Ｄ／３Ｄセレクタ
１５    ２Ｄ／３Ｄ変換部
１６    画像出力部
１７    表示部
１８    制御部
１８ａ    表示制御部
１８ｂ    距離計測部
１８ｃ    変換制御部
１８ｄ    補正部
２１    制御部
２２    操作部
２３    赤外線送信部
２４    同期信号受信部
２５    同期部
２６    液晶シャッター
２７    電池残量検出部
【図１】
2014116884.tif 000003
【図２】
2014116884.tif 000004
【図３】
2014116884.tif 000005
【図４】
2014116884.tif 000006
【図５】
2014116884.tif 000007
【図６】
2014116884.tif 000008
【図７】
2014116884.tif 000009
【図８】
2014116884.tif 000010
【図９Ａ】
2014116884.tif 000011
【図９Ｂ】
2014116884.tif 000012
【図１０Ａ】
2014116884.tif 000013
【図１０Ｂ】
2014116884.tif 000014
【図１１】
2014116884.tif 000015